【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
複数の発光点を備える光源手段から出射する複数の光束を偏向する偏向手段と、結像光学素子を備え前記偏向手段により偏向された光束を被走査面に集光する結像光学系と、を有する光走査装置であって、
前記結像光学素子の光学面における前記複数の光束の軌跡の主走査方向に対する角度をφＲ、前記結像光学素子の母線の主走査方向に対する角度をθＬ、とするとき、以下の条件を満たすことを特徴とする光走査装置。
０．１≦θＬ／φＲ≦０．９
【請求項２】
複数の発光点を備える光源手段から出射する複数の光束を偏向する偏向手段と、結像光学素子を備え前記偏向手段により偏向された光束を被走査面に集光する結像光学系と、を有する光走査装置であって、
前記偏向手段は、回転軸を中心として回転する偏向面を含み、
副走査断面に投影したときの前記回転軸の副走査方向に対する角度をθａ、主走査断面に投影したときの前記回転軸の前記結像光学素子の光軸方向に対する角度をθｂ、とするとき、以下の条件を満たすことを特徴とする光走査装置。
０．１≦θＬ／θａｓｉｎθｂ≦０．９
【請求項３】
前記結像光学素子を副走査方向へ変位させることにより、前記被走査面における前記複数の光束の副走査方向の間隔を調整することを特徴とする請求項１又は２に記載の光走査装置。
【請求項４】
前記偏向手段と前記結像光学系とを保持する光学箱を有し、該光学箱を前記結像光学素子の光軸方向の周りに回転させることにより、前記被走査面における前記複数の光束の軌跡の主走査方向に対する傾きを調整することを特徴とする請求項１乃至３のいずれか１項に記載の光走査装置。
【請求項５】
前記結像光学素子は、前記結像光学系を構成する結像光学素子の中で副走査断面内における屈折力が最も大きい結像光学素子であることを特徴とする請求項１乃至４のいずれか１項に記載の光走査装置。
【請求項６】
請求項１乃至５のいずれか１項に記載の光走査装置と、前記光走査装置によって前記被走査面に形成された静電潜像をトナー像として現像する現像器と、現像された前記トナー像を被転写材に転写する転写器と、転写された前記トナー像を前記被転写材に定着させる定着器と、を有することを特徴とする画像形成装置。
【請求項７】
請求項１乃至５のいずれか１項に記載の光走査装置と、外部機器から出力されたコードデータを画像信号に変換して前記光走査装置に入力するプリンタコントローラと、を有することを特徴とする画像形成装置。 
【請求項８】
複数の発光点を備える光源手段から出射する複数の光束を偏向する偏向手段と、結像光学素子を備え前記偏向手段により偏向された光束を被走査面に集光する結像光学系と、を有する光走査装置の製造方法であって、
前記結像光学素子の光学面における前記複数の光束の軌跡の主走査方向に対する角度をφＲ、前記結像光学素子の母線の主走査方向に対する角度をθＬ、とするとき、以下の条件を満たすように前記結像光学素子の位置を調整する調整工程を有することを特徴とする光走査装置の製造方法。
０．１≦θＬ／φＲ≦０．９
【請求項９】
複数の発光点を備える光源手段から射出される複数の光束を偏向する偏向手段と、結像光学素子を備え前記偏向手段により偏向された光束を被走査面に集光する結像光学系と、を有する光走査装置の製造方法であって、
前記偏向手段は、回転軸を中心として回転する偏向面を含み、
副走査断面に投影したときの前記回転軸の副走査方向に対する角度をθａ、主走査断面に投影したときの前記回転軸の前記結像光学素子の光軸方向に対する角度をθｂ、とするとき、以下の条件を満たすように前記結像光学素子の位置を調整する第１の工程を有することを特徴とする光走査装置の製造方法。
０．１≦θＬ／θａｓｉｎθｂ≦０．９
【請求項１０】
前記第１の工程は、前記結像光学素子を光軸方向の周りに回転させる工程を含むことを特徴とする請求項９に記載の光走査装置の製造方法。
【請求項１１】
前記結像光学素子を副走査方向へ変位させることにより、前記被走査面における前記複数の光束の副走査方向の間隔を調整する第２の工程を有することを特徴とする請求項９又は１０に記載の光走査装置の製造方法。
【請求項１２】
前記偏向手段と前記結像光学系とを光学箱に組み付ける第３の工程と、該光学箱を前記結像光学素子の光軸方向の周りに回転させることにより、前記被走査面における前記複数の光束の軌跡の主走査方向に対する傾きを調整する第４の工程と、を有することを特徴とする請求項９乃至１１のいずれか１項に記載の光走査装置の製造方法。
【手続補正２】
【補正対象書類名】明細書
【補正対象項目名】０００９
【補正方法】変更
【補正の内容】
【０００９】
上記目的を達成するため、本発明に係る光走査装置は、複数の発光点を備える光源手段から出射する複数の光束を偏向する偏向手段と、結像光学素子を備え前記偏向手段により偏向された光束を被走査面に集光する結像光学系と、を有する光走査装置であって、前記結像光学素子の光学面における前記複数の光束の軌跡の主走査方向に対する角度をφＲ、前記結像光学素子の母線の主走査方向に対する角度をθＬ、とするとき、以下の条件を満たすことを特徴とする。
【手続補正３】
【補正対象書類名】明細書
【補正対象項目名】００１０
【補正方法】変更
【補正の内容】
【００１０】
０．１≦θＬ／φＲ≦０．９
また、本発明に係る別の光走査装置は、複数の発光点を備える光源手段から出射する複数の光束を偏向する偏向手段と、結像光学素子を備え前記偏向手段により偏向された光束を被走査面に集光する結像光学系と、を有する光走査装置であって、前記偏向手段は、回転軸を中心として回転する偏向面を含み、副走査断面に投影したときの前記回転軸の副走査方向に対する角度をθａ、主走査断面に投影したときの前記回転軸の前記結像光学素子の光軸方向に対する角度をθｂ、とするとき、以下の条件を満たすことを特徴とする。
０．１≦θＬ／θａｓｉｎθｂ≦０．９
また、本発明に係る画像形成装置は、上記光走査装置と、前記光走査装置によって前記被走査面に形成された静電潜像をトナー像として現像する現像器と、現像された前記トナー像を被転写材に転写する転写器と、転写された前記トナー像を前記被転写材に定着させる定着器と、を有することを特徴とする。
【手続補正４】
【補正対象書類名】明細書
【補正対象項目名】００１１
【補正方法】変更
【補正の内容】
【００１１】
また、本発明に係る別の画像形成装置は、上記光走査装置と、外部機器から出力されたコードデータを画像信号に変換して前記光走査装置に入力するプリンタコントローラと、を有することを特徴とする。
【手続補正５】
【補正対象書類名】明細書
【補正対象項目名】００１２
【補正方法】変更
【補正の内容】
【００１２】
また、本発明に係る光走査装置の製造方法は、複数の発光点を備える光源手段から出射する複数の光束を偏向する偏向手段と、結像光学素子を備え前記偏向手段により偏向された光束を被走査面に集光させる結像光学系と、を有する光走査装置の製造方法であって、前記結像光学素子の光学面における前記複数の光束の軌跡の主走査方向に対する角度をφＲ、前記結像光学素子の母線の主走査方向に対する角度をθＬ、とするとき、以下の条件を満たすように前記結像光学素子の位置を調整する調整工程を有することを特徴とする。
【手続補正６】
【補正対象書類名】明細書
【補正対象項目名】００１３
【補正方法】変更
【補正の内容】
【００１３】
０．１≦θＬ／φＲ≦０．９
また、本発明に係る別の光走査装置の製造方法は、複数の発光点を備える光源手段から射出される複数の光束を偏向する偏向手段と、結像光学素子を備え前記偏向手段により偏向された光束を被走査面に集光する結像光学系と、を有する光走査装置の製造方法であって、前記偏向手段は、回転軸を中心として回転する偏向面を含み、副走査断面に投影したときの前記回転軸の副走査方向に対する角度をθａ、主走査断面に投影したときの前記回転軸の前記結像光学素子の光軸方向に対する角度をθｂ、とするとき、以下の条件を満たすように前記結像光学素子の位置を調整する第１の工程を有することを特徴とする。
０．１≦θＬ／θａｓｉｎθｂ≦０．９
【手続補正７】
【補正対象書類名】明細書
【補正対象項目名】００６０
【補正方法】変更
【補正の内容】
【００６０】
図１（ａ）で、４０１は偏向手段である偏向器１１０に入射する光線である。また、４０２は偏向器１１０によって偏向された光線である。図１（ｄ）の４０３は、偏向器１１０によって偏向された光線４０２の第２のｆθレンズ１１２上での光線の軌跡である。
【手続補正８】
【補正対象書類名】明細書
【補正対象項目名】００７１
【補正方法】変更
【補正の内容】
【００７１】
続いて、偏向器１１０に軸倒れが発生した場合の影響を説明する。偏向器１１０に軸倒れが発生した場合、図１（ｃ）のように、光線４０１が偏向器１１０に反射されて副走査方向にθＲだけ角度を持って反射されて光線４０２となる。また、軸倒れが発生したときは、画角に応じてθＲが異なるので、図１（ｄ）のようにｆθレンズ１１２上で、光線の軌跡４０３が高さｈＲだけｚ方向にシフトし、主走査方向（図１（ｄ）中のｙ方向）に対して傾き角度φＲだけ傾くこととなる。
【手続補正９】
【補正対象書類名】明細書
【補正対象項目名】００７４
【補正方法】変更
【補正の内容】
【００７４】
偏向器１１０に軸倒れが発生すると、被走査面におけるムラが生じる。図６（ａ）は偏向器１１０に軸倒れが発生していない場合であり、図６（ｂ）は軸倒れが発生している場合である。図６（ｂ）は、偏向器１１０に軸倒れ方向を示す角度（図１（ｂ）に示すように主走査断面に投影したときの回転軸のｆθレンズ１１２の光軸方向に対する角度）θｂが１２５度方向で、軸倒れ量を示す角度（図１（ｃ）に示すように副走査断面に投影したときの回転軸の副走査方向に対する角度）θａが５分の軸倒れが発生したした場合の副走査方向のピッチ間隔の被走査面におけるムラである。
【手続補正１０】
【補正対象書類名】明細書
【補正対象項目名】００８５
【補正方法】変更
【補正の内容】
【００８５】
また、図８（ｂ）は、比較例（本実施形態の光学系に特許文献１の従来技術を適用）としてｆθレンズ１１２における光線通過位置に沿うようにｆθレンズ１１２を傾けて調整した場合（φR＝θＬ）を示す。即ち、ｆθレンズ１１２における光線の光軸方向周りの角度をφR（分）とし、調整後のｆθレンズ１１２の光軸方向周りの角度（ｆθレンズ１１２の母線の主走査方向に対する角度）をθＬ（分）とすると、図８（ｂ）はφR＝θＬ＝４．６４分である。このとき、副走査方向のピッチ間隔の湾曲成分ＰＳは０．２６μｍ、傾き成分ＰＴは、１．０３μｍである。また、ピッチムラのＰＶは２．２８μｍとなる。
【手続補正１１】
【補正対象書類名】明細書
【補正対象項目名】０１１９
【補正方法】変更
【補正の内容】
【０１１９】
（光走査装置の製造方法）
本発明は、以下のような光走査装置の製造方法としても位置付けられる。即ち、複数の発光点を備える光源手段から出射する複数の光束を偏向する偏向手段と、結像光学素子を備え前記偏向手段により偏向された光束を被走査面に集光させる結像光学系と、を有する光走査装置の製造方法であって、以下の調整工程を有する。この調整工程とは、上記結像光学素子の光学面における上記複数の光束の軌跡の主走査方向に対する角度をφＲ、上記結像光学素子の母線の主走査方向に対する角度をθＬ、とするとき、以下の条件を満たすように上記結像光学素子の位置を調整する調整工程である。
【手続補正１２】
【補正対象書類名】明細書
【補正対象項目名】０１２０
【補正方法】変更
【補正の内容】
【０１２０】
０．１≦θＬ／φＲ≦０．９
【手続補正１３】
【補正対象書類名】明細書
【補正対象項目名】０１２１
【補正方法】削除
【補正の内容】